(57)【要約】  金型もしくはダイのデータまたは他の金型情報もしくは加工情報をウェブページの表示ウィンドウ上に表示するための装置またはシステムおよび方法または工程。往復動工具からの金型データを表示するための方法は、往復動工具に対してモニタを位置決めするステップと、モニタが往復動工具からのデータを記録するステップとを含む。データは伝えられ、次いで、記憶金型データとして遠隔のデータ記憶場所に記憶される。記憶金型データは処理され、次いで、例えばウェブページのウィンドウに表示される。
2014528861.tif 000002
【特許請求の範囲】
【請求項１】
往復動工具からのデータを表示するための方法であって、
前記往復動工具に対してモニタを位置決めするステップと、
前記モニタが前記往復動工具からのデータを記録するステップと、
前記データを記憶データとして記憶場所に伝え、記憶するステップと、
前記記憶データを処理して処理データにするステップと、
前記処理データを所望の結果として、前記モニタに対して遠隔に位置する装置のグラフィカル・ユーザ・インターフェースに表示するステップと
を含む方法。
【請求項２】
前記データは送信機の入力部に伝えられる、請求項１に記載の方法。
【請求項３】
前記送信機は前記データを基地局に出力する、請求項２に記載の方法。
【請求項４】
前記基地局は前記データを前記記憶場所に出力する、請求項３に記載の方法。
【請求項５】
前記記憶場所は遠隔のインフラストラクチャである、請求項４に記載の方法。
【請求項６】
プロセッサが前記データに、アルゴリズム、計算、操作、要約、算術関数、および／または数学的関数を適用する、請求項１に記載の方法。
【請求項７】
前記グラフィカル・ユーザ・インターフェースは、ウェブページおよび／またはソフトウェアアプリケーションのウィンドウを備える、請求項１に記載の方法。
【請求項８】
前記装置は、ウィンドウ、ダッシュボード、パーソナルコンピュータ、タブレット機器、および／または電話機を備える、請求項１に記載の方法。
【請求項９】
前記グラフィカル・ユーザ・インターフェースはデータおよび／または情報を前記グラフィカル・ユーザ・インターフェースからの出力として伝える、請求項１に記載の方法。
【請求項１０】
前記データは前記往復動工具に関する情報を含む、請求項１に記載の方法。
【請求項１１】
往復動工具からのデータを表示するための方法であって、
前記往復動工具に対してモニタを位置決めするステップと、
前記モニタが前記往復動工具からのデータを記録するステップと、
前記データを処理し、前記モニタに対して遠隔に位置する装置に伝えるステップと
を含む方法。
【請求項１２】
前記データは前記装置と通信するグラフィカル・ユーザ・インターフェース上に表示される、請求項１１に記載の方法。
【請求項１３】
送信機が、前記データを記憶場所に出力する基地局に、前記データを出力する、請求項１１に記載の方法。
【請求項１４】
プロセッサが前記データに、アルゴリズム、計算、操作、要約、算術関数、および／または数学的関数を適用する、請求項１１に記載の方法。
【請求項１５】
前記装置は、ウィンドウ、ダッシュボード、パーソナルコンピュータ、タブレット機器、および／または電話機を備える、請求項１１に記載の方法。
【請求項１６】
前記グラフィカル・ユーザ・インターフェースはデータおよび／または情報を前記装置からの出力として伝える、請求項１１に記載の方法。
【請求項１７】
前記データは前記往復動工具に関する情報を含む、請求項１１に記載の方法。
【請求項１８】
往復動工具からの金型データを維持するための方法であって、
前記往復動工具に対してモニタを位置決めするステップと、
前記往復動工具からの金型データを記録するステップと、
前記金型データの第１の遠隔記録を生成するステップと、
前記金型サイクルデータの第２の遠隔記録を生成するステップであって、前記第２の遠隔記録は前記第１の遠隔記録の非機密バージョンを含むものである、前記第２の遠隔記録を作成するステップと
を含む方法。
【発明の詳細な説明】
【技術分野】
【０００１】
本発明は、射出成形(injection mold)や打抜き（stamping）といった生産用工具(production tool)もしくは打抜き加工からの、かつ／またはこれに関するデータもしくは情報にアクセスし、取得したデータもしくは情報を、データもしくは情報を計算し、かつ／または処理し、所望の結果を、エンドユーザが付与された権限による許可に従って閲覧することのできる表示装置に届けるインフラストラクチャまたはシステムに伝えるためのシステムもしくは装置および工程もしくは方法に関する。
【背景技術】
【０００２】
現在、射出成形型および打抜き型(stamping die)の加工を行っている各会社は、手書きの記録簿やファイルといった、各社の金型(tool)を追跡するための公知のシステムを有する。別の会社は、例えば、Ｍｉｃｒｏｓｏｆｔ（登録商標）Ｅｘｃｅｌ（登録商標）のような一般的なスプレッドシートアプリケーションや、Ｍｉｃｒｏｓｏｆｔ（登録商標）Ａｃｃｅｓｓ（登録商標）において、またはこれによって開発されたシステムを使用することによって社内システムを開発している。金型加工情報（tooling information）について、ある会社は、ある程度の金型データ記憶機能を有しうるプロセス・モニタリング・システムを使用し、会社によっては、資産、例えば金型加工と関連付けられた資産を管理することのできる企業資源計画（ＥＰＲ：Ｅｎｔｅｒｐｒｉｓｅ  Ｒｅｓｏｕｒｃｅ  Ｐｌａｎｎｉｎｇ）システムを有する場合もある。
【０００３】
手書き記録簿は、金型加工情報を維持するのに依然として一般に使用されている。会社によっては社内で開発されたシステムを有し、その中には電子システムもありうるが、社内開発システムは通常、高度に開発されたものではなく、よって、基本的な報告書だけを作成する。ＩＱＭＳ、Ｍａｔｔｅｃなどといったプロセス・モニタリング・システム、およびＰｌａｎｔＳｔａｒ、ＳＡＰなどといったＥＲＰシステムは、金型活動状態または予防保守（ｐｒｅｖｅｎｔｉｖｅ  ｍａｉｎｔｅｎａｎｃｅ：ＰＭ）のスケジューリングを効果的に管理しない。従来のシステムは、金型加工情報を共有するために相互に通信し、または対話し合うことはせず、おそらくは、関連するプレス機情報のみのやり取りに限定される。しかしながら、いくつかの従来システム、例えば、ＰｒｏＦｉｌｅＣＶ．ｃｏｍに記載されているＭｏｌｄＴｒａｘ社製のシステムなどは、ある程度の金型業界のニーズに対応している。
【０００４】
金型加工情報が加工処理会社内でどのように管理されるかにかかわらず、金型加工情報は、多くの場合、特定の相手先商標製品製造業者（ｏｒｉｇｉｎａｌ  ｅｑｕｉｐｍｅｎｔ  ｍａｎｕｆａｃｔｕｒｅｒ：ＯＥＭ）または加工処理会社にとっての機密情報または専有情報であり、多くの場合、通常は一般に公開されない、特に、加工処理会社の外部の者には公開されない情報および／またはデータを含む。例えば、金型製作者または金型製造会社は、金型を設計、製作し、金型図面を生成することができ、加工業者は部品を生産し、それらの部品をＯＥＭに供給することができる。場合によっては、例えば、加工業者は、破損した金型構成部品を交換するための金型図面を探し出すことができず、加工業者はダウン時間を被ることがある。場合によっては、金型の実績サイクル時間は、ＯＥＭ顧客と収益性を共有しないために、その加工業者によってＯＥＭに知らされず、またはＯＥＭに隠される。また、適時の報告の欠如も、適正なＰＭの責任の欠如、よって、金型のダウン時間をもたらしうる。いかなる金型ダウン時間も、所有者の、またはＯＥＭのサプライチェーン管理に影響を及ぼし、よって、ＯＥＭによる市場へのその最終製品の供給にマイナスの影響を及ぼす可能性がある。
【０００５】
金型に関する情報、例えば、図面や改訂、ならびに実際の活動実績および保守記録などは、現在、多くの場合、様々な供給者所在地内に保留され、または秘匿されており、よって、ＯＥＭの金型加工責任者といった経営意思決定者には容易に供与されない。皮肉にも、昨今のコンピューティング技術および接続技術の高度化にもかかわらず、約３０〜４０年前には、ＯＥＭと加工業者と金型メーカとは、今日よりも多くの金型加工情報を共有し、より密接につながっていたが、これは、多少は、現在世界中に到達しているグローバル・サプライ・チェーンと、近年のＯＥＭおよび１次請け会社における技術スタッフの層の減少傾向とに起因するものである。
【発明の概要】
【課題を解決するための手段】
【０００６】
本発明によるある実施形態では、モニタリング装置が、例えば、生産部品を製造するために加工業者によって使用される射出成形型上に、またはこれに対して取り付けられる。本発明によるモニタリング装置は、ケーブル、電線もしくは別の適切なハードウェア構成部品を、例えばＵＳＢポートと共に使用することもでき、かつ／または任意の無線通信システムを使用してモニタリング装置からソフトウェアおよび／もしくはデータを転送し、かつ／もしくは取得することもできる。モニタリング装置から取得され、または引き出されたデータは、ＰＤＦファイルおよび／または任意の他の適切な電子ファイルとして記憶装置上に保存することのできる報告書および／または任意の他の適切な情報セットにデータストリングを変換するのに使用することができる。
【０００７】
本発明のある実施形態では、特定の会社での金型活動状態に関連した報告書、データおよび／または他の情報が、共有ネットワークドライブや他の類似の装置といった記憶装置に手動で、かつ／または自動的に保存される。本発明のある実施形態では、これらの報告書、データおよび／または他の情報は、次いで、ファイル転送プロトコル（ｆｉｌｅ  ｔｒａｎｓｆｅｒ  ｐｒｏｔｏｃｏｌ：ＦＴＰ）サイトに伝えられ、かつ／または複写されて、例えば、ＯＥＭ顧客の加工業者がそれらの情報にアクセスでき、またはそれらの情報を利用できるようにすることができる。本発明によれば、例えば、英国にあるＯＥＭは、タイで操業している同社の加工業者が、必要な数の部品を必要な時間枠内で生産していることを検証し、サイクル時間および／または金型保守が目標の範囲内であることを検証することができる。
【０００８】
ある実施形態では、本発明によるモニタリング装置は、遠隔地に位置する稼働中の金型からの報告書、データおよび／または他の情報にアクセスし、またはこれらを収集するための従来の方法の必要を克服し、またはなくすのに使用することができ、この必要には、例えば、人が物理的に遠隔地にある金型のところまで定期的に移動し、報告書、データおよび／または他の情報を収集することが含まれうる。遠隔地にある間に、または金型が保守のために金型室に搬送されるときでさえも、本発明のモニタリング装置は、装置および／またはソフトウェアと接続して、報告書、データおよび／または他の情報を転送することができる。
【０００９】
本発明のある実施形態では、モニタリング装置は、モニタリング装置のメモリ内に、例えば、車両登録番号やＶＩＮ番号と同様のものとすることのできる、装置識別ＩＤ番号といった一意の識別子を含み、または有する。本発明による一意の識別子または番号は、電子的に識別することもでき、かつ／または、例えば「ＣＶｅＭｏｎｉｔｏｒ．ｃｏｍ／ＯＧＺ００１１」など、いわゆる「ＵＲＬ／通し番号」としてモニタリング装置の表面にレーザーエッチングされるなど、別の方法で永続的に識別することもでき、それによって、特定のデータベースレコード位置が、モニタリング装置が取り付けられている金型の金型図面、加工セットアップシート、保守活動報告書などを含む情報を含むことができるようになる。
【００１０】
本発明のある実施形態では、始動によりＯＥＭが金型実績と「接続」されるが、いくつかの手動の側面をさらに発展させ、かつ／または自動化することができる。
【００１１】
本発明の特徴を、以下の明細書において、特に添付の図面を考慮に入れて詳細に説明する。
【図面の簡単な説明】
【００１２】
【図１】本発明の一実施形態による、成形（mold）または打抜きを行う金型に対して取り付けられた、モニタリング装置のためのモニタを示す斜視図である。
【図２】本発明の一実施形態による、装置および工程の特徴を示すシステムを示す図である。
【図３】本発明の一実施形態による、画面表示を介してアクセス可能な多くの異なるパラメータのサンプルを表示するスクリーンショットまたはダッシュボードウィンドウを示す図である。
【図４】本発明の一実施形態による、装置および工程または方法の特徴を示すシステムを示す、スクリーンショットまたはウィンドウを含む図である。
【図５】本発明の一実施形態による、金型に関連した異なる動作パラメータを示す概要報告書を表示するスクリーンショットまたはウィンドウを示す図である。
【図６】本発明の一実施形態による、金型の異なる動作パラメータに関連した情報を表示するスクリーンショットまたはウィンドウを示す図である。
【図７】本発明の別の実施形態による、金型の異なる動作パラメータに関連した情報を表示するスクリーンショットまたはウィンドウを示す図である。
【図８】本発明のさらに別の実施形態による、金型の異なる動作パラメータに関連した情報を表示するスクリーンショットまたはウィンドウを示す図である。
【図９】本発明のさらに別の実施形態による、金型の異なる動作パラメータに関連した情報を表示するスクリーンショットまたはウィンドウを示す図である。
【図１０】本発明のさらに別の実施形態による、金型の動作パラメータに関連した概要情報を表示するスクリーンショットまたはウィンドウを示す図である。
【図１１】本発明の一実施形態による、カバーが取り付けられた状態とカバーが取り外された状態の基地局を示す斜視図である。
【図１２】本発明の一実施形態による、カバーが取り付けられた状態とカバーが取り外された状態の送信機を示す斜視図である。
【図１３】本発明の一実施形態による、成形工程のための方法を示す流れ図である。
【図１４】本発明の一実施形態による、金型の異なる動作パラメータに関する情報を表示するスクリーンショットまたはウィンドウを示す図である。
【発明を実施するための形態】
【００１３】
図１に、本発明によるモニタ２０の一実施形態を示す。本明細書全体および特許請求の範囲で使用する場合、モニタリング装置およびモニタという用語は、相互に交換可能であり、サイクル数をカウントし、かつ／または射出成形工程といった生産工程と関連付けられた、もしくは生産工程に対応する他の動作パラメータおよび／もしくはデータを追跡するモニタもしくは他の類似の機器もしくは装置に関するものであることが意図されている。その全教示が参照により本明細書に組み込まれる米国特許出願公開第２０１１／０３１６１８０号明細書には、例えば、本発明のモニタ２０として使用することのできる金型モニタリング装置の異なる実施形態が記載されている。
【００１４】
本明細書全体および特許請求の範囲で使用する場合、金型、モールド、打抜き金型（stamping tool）、ダイ（die）、打抜き型（stamping die）、ダイカスト型（die casting die）、往復動工具（reciprocating tool）、および／または金型加工の各用語、および／または当業者に公知の任意の他の類似の用語は、相互に交換可能であり、それだけに限らないが、２つの装置、機器および／またはシステム間の相対運動から製造され、生産され、または別の方法で結果的に生じる部品を含む生産部品といった部品を製造し、生産し、または別の方法で結果的に生じさせる任意の装置、機器および／またはシステムに関するものであることが意図されている。例えば、２つの装置、機器および／またはシステム間の相対運動は、それだけに限らないが、射出成形（injection molding）、圧縮成形（compression molding）、トランスファー成形（transfer molding）、真空成形（vacuum forming）、吹込み成形（blow molding）、加圧成形（pressure forming）および／または当業者に公知の任意の他の種類の成形を含む、任意の適切な成形法を用いて実現することができる。
【００１５】
図１には、片方の金型５２に直接取り付けられたモニタ２０が示されている。モニタ２０は、任意の他の適切な連結、取り付け、固定、形状および／または寸法を有し、なおかつ、金型５０と係合し、金型５０のサイクル数をカウントし、かつ／または金型５０の動作パラメータに関する他のデータまたは情報を収集する機能を果たすこともできる。本発明のある実施形態では、金型５０のエンドユーザは、モニタ２０の特定の設計、様式および／または型式を選択してよい。
【００１６】
本発明によるある実施形態では、モニタ２０は、図１２に示すような送信機３２を備える。本発明のある実施形態では、送信機３２は、比較的小型であり、または、送信機３２が、図２に示すように、金型加工もしくは打抜きプレス機３４の上部に取り付けられるような別の適切なサイズとされる。本発明のある実施形態では、さらに別の加工データを収集するために、ケーブル３３および／または任意の他の適切なコネクタを使用して、モニタ２０との、かつ／または金型加工もしくは打抜きプレス機への接続および／または通信を維持することができる。複数の送信機３２を、稼働プラントまたは施設の内部または全体に位置決めし、または別の方法で配置することができ、例えば図１１に示すような基地局３０に信号を送信し、発し、送り、または別の方法で伝えることができ、基地局３０は、施設内のローカル、中央、および／または遠隔の位置または場所に位置決めし、または配置することができる。本発明のある実施形態では、送信機３２を、有線接続および／または無線接続を用いて、信号を送信するのに使用することのできる任意の他の適切な装置で補足することができ、または置き換えることができる。
【００１７】
図２を参照すると、本発明のある実施形態では、モニタ２０は、クラウド３５、プロセッサ４０、ウィンドウ４５、ならびに／または情報を表示することのできる任意の他の装置、システムおよび／もしくは要素に直接、出力信号を伝えることができる。
【００１８】
本発明のある実施形態では、打抜き型条件のためにモニタ２０の更新バージョンを受け入れることができる。また、本発明のモニタ２０が、吹込み成形熱成形、押し出し成形などといった他の金型加工技術に適用することも可能である。ダイカスト施設および／または環境は、送信機３２よりも先に、またはその前に、信号発生器に連結された、著しく異なる手法、例えば、おそらくは機械的な、または機械的オンマークの使用を必要としうる。
【００１９】
本発明のある実施形態では、例えば図２に示すように、基地局３０は、それだけに限らないが「クラウド」を含む、コンピュータ、プロセッサ、別の類似の処理装置および／または送信装置といった、ローカルプロセッサおよび／または遠隔プロセッサおよび／または処理局に信号を伝え、送信し、かつ／または送る。クラウドは、例えば、適切な遠隔サービスにユーザの特定のデータ、ソフトウェアおよび／または計算を委ねるのに使用することのできるクラウドコンピューティングを可能にするシステムを含む、複合インフラストラクチャといった任意の適切なインフラストラクチャとすることができる。本発明のある実施形態では、基地局３０および／または送信機３２は、コンピュータ、プロセッサ、ＰＣまたは他の類似の処理装置および／もしくは送信装置に接続されておらず、プロセッサネットワークに接続されなくてもよく、有線方式および／または無線方式で、情報を表示することのできるクラウドならびに／または他の装置、システムおよび／もしくは要素と直接通信してよい。
【００２０】
図２を参照すると、クラウド３５および／またはシステムの別の類似のインフラストラクチャは、実行中または稼働中の金型から連続して、絶えず、かつ／または間欠的に情報を受け取ることができ、各金型は、例えば、基地局３０を介して、指定の時刻に、かつ／または指定の時間間隔で、例えば、１０秒ごとに、クラウド３５にデータを送ることができる。データストリング自体は、本発明のある実施形態では、比較的小さいもの、例えばおおよそ１５フィールドなどとすることができるが、ある期間全体にわたってまとめると、これは、膨大な量のデータがクラウド３５に送信され、または到来することになり得る。
【００２１】
図２を参照すると、本発明によるシステムでは、顧客、例えばＯＥＭは、各モニタ２０の場所に物理的に位置せずに生産活動をモニタし、または監視することができる。例えば、ＯＥＭは、世界中の異なる場所で稼働するいくつかの異なる金型５０を有していてよく、各地に移動せずに中央の場所から性能パラメータおよび他の動作条件を監視することができ、このことは、ＯＥＭに予防保守活動を保証し、またＯＥＭがこの情報を使用して市場への最終製品の供給を確認するのに役立てることができる。
【００２２】
図２に示すように、モニタ２０は、モニタおよび／またはプレス機２０と送信機３２との間の電気通信を形成するために送信機３２とモニタ２０との間に接続されたケーブル３３を有する。本発明による別の実施形態では、ケーブル３３は、任意の他の適切な有線接続および／または無線接続で補足し、または置き換えることができる。例えば、ブルートゥース技術または任意の類似のプロトコルを使用して、モニタ２０、送信機３２および／または基地局３０間で、無線で情報を通信することもできる。
【００２３】
本発明のある実施形態では、モニタ２０は、金型５０に関するリアルタイムの稼働情報を伝える。例えば、米国特許出願公開第２０１１／０３１６１８０号明細書には、本発明によるモニタ２０の特徴のうちのいくつかが記載されているが、モニタ２０はそれらの特徴だけに限定されるものではなく、製造業に適した他の特徴および／または異なる特徴を有していてよい。
【００２４】
図２を参照すると、本発明のある実施形態によれば、データおよび／または他の情報が、例えば、決められた時間周期で、または周期的な時間間隔の間に、送信機３２に伝えられ、かつ／または転送される。本発明によるある実施形態では、各モニタ２０は、対応するモニタ２０に対してローカルで位置決めされた対応する送信機３２を有する。本発明による別の実施形態では、複数のモニタ２０が１台の送信機３２に対応しうる。多くのプロセッサが、１つの構造または施設で稼働する複数の、場合によっては何百台もの金型加工機械を有する。
【００２５】
本発明のある実施形態では、送信機３２は基地局３０にデータまたは他の情報を伝え、または別の方法で移す。図２に示すように、基地局３０は１台だけである。しかしながら、本発明の別の実施形態では、システムは、１施設全体に位置する２台以上の基地局３０を備えていてもよい。図２に示すように、データまたは他の情報は、各送信機３２から対応する基地局３０に無線で伝えられる。本発明の別の実施形態では、図２に示す無線通信に加えて、またはその代わりに任意の適切な有線接続を使用することができる。
【００２６】
図２を参照すると、各基地局３０は、ある実施形態ではゲートウェイ製品とすることができ、データまたは他の情報を基地局３０からクラウド３５に伝える。本発明のある実施形態では、クラウド３５は次いで、データまたは他の情報をプロセッサ４０に伝え、または別の方法で移すことができる。プロセッサ４０は、データまたは他の情報を操作し、計算し、データまたは他の情報に対して算術的な、かつ／または任意の他の数学的な関数および／またはアルゴリズムを実行し、例えば、ウィンドウ４５に伝え、ウィンドウ４５に表示することのできる異なるパラメータを導出し、かつ／または計算することができる。本発明のある実施形態では、ウィンドウ４５は、処理された金型データを、グラフィカル・ユーザ・インターフェースに所望の結果として表示し、ウィンドウ４５は、遠隔に、またはモニタ２０に対して遠隔地に位置決めされ、かつ／または配置された装置のものとすることができる。
【００２７】
本明細書全体および特許請求の範囲で使用する場合、ウィンドウ、ダッシュボード、グラフィカル・ユーザ・インターフェース、ディスプレイ、金型一覧ウィンドウ、パーソナルコンピュータ、タブレット機器、タブレット、電話機および／もしくは電話の各用語、ならびに／または当業者に公知の任意の他の類似の用語は、相互に交換可能であり、ユーザが任意の適切な電子機器または画像を使用し、かつ／もしくは表示する他の種類の機器とインターフェースし、かつ／または対話することを可能にする任意の装置、機器、および／またはシステムに関するものであることが意図されている。
【００２８】
本発明のある実施形態では、ウィンドウ４５は、ユーザに任意の適切な記憶情報を検索させ、かつ／または表示させるのに使用することのできるプロセッサ４０および／または任意の他の適切な処理装置および／または記憶装置と通信し、適切な記憶情報は、例えば、ＰＤＦファイルおよび／または任意の他の適切な電子ファイルおよび／または、情報もしくは他のデータにアクセスし、かつ／または情報もしくは他のデータを供給するのに使用される他のファイルなどであり、情報もしくは他のデータには、それだけに限らないが、金型図面、セットアップシート、保守指示、図表および／または任意の他の類似の情報もしくは当業者に公知の他のデータが含まれる。
【００２９】
本発明のある実施形態では、プロセッサ４０は、大量のデータまたは他の情報を受け入れ、または受け取り、データまたは他の情報を計算し、かつ／または処理して所望の結果および／または製品にすることのできる任意の適切なハードウェアおよび／またはソフトウェアを備え、計算および／または処理は、さらに処理し、かつ／または最終結果もしくは結論として表示することのできる所望の１つもしくは複数の結果を送り、または発するのに必要な、数学的関数、算術関数、および／または任意の他の技術的機能といった任意の１つもしくは複数のアルゴリズムおよび／または関数を適用することによるものである。本発明のある実施形態では、所望の結果、最終結果および／または結論は、ウィンドウ４５に伝え、または別の方法で移すことができ、そのためエンドユーザは、例えば、金型５０についての、または金型５０に関連した稼働情報および／または他の技術情報などを含む、モニタ２０によって伝えられる情報を閲覧することができる。
【００３０】
モニタ２０によって伝えられる特定の情報および／または他の技術情報によっては、本発明の別の実施形態によれば、別の種類のユーザまたはエンドユーザが、例えば、モニタ２０によって伝えられる金型５０に関する特定の情報および／または概要情報を閲覧し、もしくは受け取ろうとし、かつ／または閲覧し、もしくは受け取ることができる。本発明のある実施形態では、ユーザまたはエンドユーザは、ＯＥＭといった所有者、加工業者および／または金型メーカとすることができる。
【００３１】
本明細書全体および特許請求の範囲で使用する場合、所有者、相手先商標製品製造業者（ＯＥＭ）および／もしくは契約製造者の各用語、ならびに／または当業者に公知の任意の他の類似の用語は、相互に交換可能であり、製品を製造し、かつ／または市場で製品を売る任意の事業体に関するものであることが意図されている。
【００３２】
本発明のある実施形態では、ＯＥＭまたは他の所有者は、金型５０を買い、または購入し、よって通常は金型および金型に関する関連付けられた情報を所有する。よって、本発明によるある実施形態では、所有者は、例えば、本発明のモニタ２０を介して伝えられうる、所有者によって所有される各金型５０に関する、技術情報および／または稼働情報を含むすべての情報にアクセスすることができ、よって、同情報を閲覧し、または確認することができる。本発明のある実施形態では、ウィンドウ４５を介してデータ、情報および／または所望の結果を表示することにより、所有者は、詳細な報告書および／または概要報告書を確認することができる。ウィンドウ４５によって表示される所望の結果は、例えば以下のものを含むことができる：所有者のすべてのモニタ２０、よって金型５０の一覧；各金型５０によって成形されているいくつかの異なる製品グループ；各モニタ２０、よって金型５０の特定の場所；サイクル時間、短期稼働時間、長期稼働時間、使用開始からの稼働時間、および／または任意の他の適切な性能パラメータを含みうる稼働報告書；成形圧力およびパラメータといったプレス機データ；金型５０および／または金型５０の任意の他の適切な部品もしくは構成部品に関する技術情報；ならびに、情報に基づく予防保守決定を行い、予防保守措置を講じるのに必要な情報。本発明のある実施形態では、ウィンドウ４５は受動的であり、エンドユーザに情報を提供するにすぎない。本発明の別の実施形態では、ウィンドウ４５は受動的かつ能動的であり、よって、情報の提供に加えて、エンドユーザがコマンドを入力して、ウィンドウ４５を介して情報を操作し、かつ／または命令を伝えることも可能にする。
【００３３】
本明細書全体および特許請求の範囲で使用する場合、成形業者および加工業者という用語、ならびに／または当業者に公知の任意の他の類似の用語は、相互に交換可能であり、部品および／または部分を生産し、製造し、かつ／または、例えばＯＥＭまたは他の所有者に売る任意の事業体に関するものであることが意図されている。
【００３４】
本発明によるある実施形態では、ユーザまたはエンドユーザは加工業者と呼ばれ、例えば、通常は所有者またはＯＥＭのために特定の製品または部品の成形または打抜きを行う会社または他の当事者とすることができる。本発明のある実施形態では、加工業者は、ＯＥＭと同じ情報にアクセスすることができるが、金型メーカは、ＯＥＭと同じ情報に対してより制限の少ない、またはより制限の多いアクセス権を有しうる。例えばＯＥＭは、金型メーカに、いかなる専有情報にも機密情報にも、加工情報にもアクセスさせたくないが、ＰＭ記録にはアクセスさせたい場合もある。本発明によるある実施形態では、加工業者は、ウィンドウ４５を介して、以下の情報を含む情報を閲覧することができてよい：特定の金型５０の稼働データ；加工業者の稼働施設にあるあらゆる金型５０に関する稼働データおよび／または実績データ；特定の金型５０に関連した加工シートおよび／または他の文書といった技術データ；特定の金型５０に関する技術図面および／または技術情報；ならびに、例えば加工業者の稼働施設にある、各金型５０に関する予防保守に関するデータまたは他の情報。
【００３５】
本明細書全体および特許請求の範囲で使用する場合、モールドメーカおよび金型メーカという用語、ならびに／または当業者に公知の任意の他の類似の用語は、相互に交換可能であり、例えばＯＥＭまたは他の所有者のための部品および／または部分を生産し、かつ／または製造するのに使用されるモールドまたは金型を設計し、製作し、かつ／または供給する任意の事業体に関するものであることが意図されている。
【００３６】
本発明によるある実施形態では、ユーザまたはエンドユーザは金型メーカと呼ばれ、金型メーカは、例えば、モールド用の金型または部品を設計し、かつ／または製作し、通常はその金型または金型部品を、ＯＥＭといった所有者に、または所有者と契約その他の業務取引関係を有する加工業者に供給する会社または他の当事者とすることができる。本発明のある実施形態では、金型メーカは、所有者および／または加工業者と同じ情報または所望の結果にアクセスすることができるが、所有者および／または加工業者と同じ情報または所望の結果に対してより制限の少ないアクセス権を有していても、より制限の多いアクセス権を有していてもよい。例えば所有者は、金型メーカに、いかなる専有情報にも機密情報にもアクセスさせたくない場合がある。本発明によるある実施形態では、加工業者は、ウィンドウ４５を介して以下の情報を含む情報を閲覧することができてよい：例えば特定の金型５０に設置される、本発明のモニタ２０を設置し、かつ／または作動させるのに必要なデータおよび／または情報；特定の金型５０に関連した、特に、金型メーカが特定の金型５０を設計し、製作することができるように金型メーカが所有者の要件を理解することを可能にするはずの加工シートおよび／または他の文書。
【００３７】
例えばウィンドウ４５を介して、情報を閲覧し、かつ／または供給し、または提供する異なるユーザまたはエンドユーザは、各金型５０に関連した異なる役割を有する場合がある、異なるユーザまたはエンドユーザは、例えばウィンドウ４５を介して利用可能な任意の情報にアクセスする前に、クリアすべき異なるセキュリティレベルがあってよい。本発明によるある実施形態では、各異なる役割は、本発明の装置および方法または工程に従って、例えばウィンドウ４５を介してアクセス可能なデータ、情報および／または結果にアクセスする前に、異なるパスワードおよび／または他のセキュリティ許可もしくはクリアすべき尺度を必要としうる。
【００３８】
図３に、ダッシュボードまたはダッシュボードウィンドウと呼ぶこともそう呼ばないこともあるウィンドウ４５を介してアクセス可能なデータ、情報および／または結果の一実施形態を示す。本発明のある実施形態では、ＯＥＭは、ウィンドウ４５のダッシュボードに表示されるすべての情報にアクセスすることができる。ある実施形態では、ダッシュボードは、例えば、１つもしくは複数の場所全体にわたって対応するＯＥＭのために稼働する金型の全部または任意の選択のグループもしくは部分を示し、場所は、任意の特定の国内とすることもでき、全世界とすることもできる。本発明によるある実施形態では、ＯＥＭは、例えば、どの情報が任意の他のユーザに提供されるか制御し、かつ／またはデータ、情報、および／もしくは結果の任意の部分もしくは全部への任意の他のユーザアクセスを許可する管理者としての役割を果たすことができる。
【００３９】
図３に示すように、本発明のある実施形態では、ウィンドウ４５の領域４６は、例えば、エンドユーザに概要情報の早見表を提供するための統計または他の全般情報もしくは概要情報を表示するのに使用することができる。例えば、全般情報もしくは概要情報は、特定のデータベースにいくつの成形金型（molding tool）があるか、ある特定の時刻、または期間に何台の金型５０が稼働しているか、当該情報がクラウド３５に送られていること、加工業者の数、管理者の数、責任者の数、任意の１つもしくは複数の金型５０に関する情報を記憶するのに使用されるデータベースからの他の情報、および／または任意の１つもしくは複数の金型５０が稼働モードにあるか、それとも休眠モードにあるかを含んでいてよい。
【００４０】
図３に示すように、本発明のある実施形態では、ウィンドウ４５の領域４９は、任意の１つもしくは複数の金型５０を稼働させ、かつ／または維持するための任意の種類の警告および／または警報を表示するのに使用することができる。例えば、任意の１つもしくは複数の場所にある金型５０が目標サイクル時間を上回るあるパーセンテージで稼働している場合、エンドユーザ、例えば所有者やＯＥＭに警報および／または警告を伝え、または別の方法で送ることができる。図８に、警報および／または警告を提供するのに使用することができるウィンドウ６０の一実施形態を示す。本発明のある実施形態では、警報および／または警告は、期限にせよ、期限切れにせよ、任意の予防保守活動といった保守の時期であることを伝えることができる。
【００４１】
本発明の別の実施形態では、ハイパーリンクを、ウィンドウ４５、５５、５６および／または６０の任意の１つもしくは複数において使用して、エンドユーザに詳細情報および／または詳細レベルを参照させることができる。
【００４２】
本発明のある実施形態では、図３に示すように、ウィンドウ４５の領域４６は、例えば、所有者が世界のどこかにある製造施設で稼働させ、または運用している任意の１つもしくは複数の金型５０を示す金型一覧を表示することができる。図５に、例えば、ウィンドウ４５のサブウィンドウであってもなくてもよく、自動的に、かつ／または手で入力される情報、例えば、加工業者の識別情報、金型メーカの識別情報、所有者の識別情報、金型の地理的場所、および／または所有者が望む他の適切な情報を表示するウィンドウ５６の一実施形態を示す。
【００４３】
本発明のある実施形態では、図３に示すように、ウィンドウ４５の領域４７は、異なる許可動作パラメータのうちの任意の１つもしくは複数を表示することができる。例えば、図３に示す領域４７は、所与の期間にわたるサイクル時間のグラフを表示する。本発明のある実施形態では、特定の動作パラメータおよび／またはデータが選択された後で、いくつかの異なる種類の報告書のうちの任意の１つもしくは複数を、例えば、生成し、表示し、記録し、かつ／または印刷することができる。図６に、結果を異なるやり方で表示するために、本発明のシステムおよび工程に従って生成することのできるウィンドウ５５を示す。
【００４４】
本発明によるある実施形態では、エンドユーザは、データまたは他の情報がモニタ２０を介して伝えられる際に、１つもしくは複数の金型５０を、例えば図７に示すように表示するように選択することができる。本発明のシステムおよび工程は、例えば、カップと嵌め合い部品といった製品を生産するのに使用される金型５０のグループなど、２つ以上の金型５０を一緒にグループ化するのに使用することができる。エンドユーザはその場合、異なる金型５０の異なる性能パラメータおよび動作パラメータを分析することができる。この種の分析は、製品の製造を完了するための期日を守り、もしくは満たそうとしているエンドユーザにとって、または、金型５０ごとおよび／もしくは金型５０の任意の金型構成部品ごとの予防保守プログラムを行うのに最適な時期を判定するのに特に有益となりうる。
【００４５】
本発明による別の実施形態では、ウィンドウ４５は、任意の適切なやり方で構成することができる。例えば、ウィンドウ４５は、図３に示すように構成することもでき、かつ／または別の方法で再配置し、追加し、削除し、かつ／もしくは、例えば、ウィンドウ４５および／もしくは別の適切な表示装置を介して表示することのできる類似の情報および／もしくは異なる情報を提供するように改訂することもできる。
【００４６】
図３に示すように、本発明のある実施形態では、ウィンドウ４５の領域５１は、例えば、データベースと関連付けられた活動の現在の状況を提供するための活動トラッカ（tracker）を表示するのに使用することができる。やはり図３に示すように、本発明のある実施形態では、ウィンドウ４５の領域５２は、それだけに限らないが、金型業界に関連した活動を含む告知および／または広告を提供するのに使用することもできる。
【００４７】
図３に示すように、本発明のある実施形態では、ウィンドウ４５の領域５３は、金型ライブラリに関連した情報を表示するのに使用することができ、金型ライブラリは、例えば、特定の金型および／または金型５０と関連付けられた仕様および／または図面を含んでいてよい。
【００４８】
ＯＥＭまたは他のエンドユーザは、全情報報告書および／または概要報告書といった任意の所望の詳細レベルを表示するための異なる動作パラメータを選択することができる。本発明の方法およびシステムは、ＯＥＭまたは他のエンドユーザが、各施設に物理的に移動せずに、ＯＥＭの施設のうちの１つもしくは複数に関する情報をモニタし、または監視することを実際上可能にするのに使用することができる。ＯＥＭはその場合、例えば、生産を追跡し、予防保守をモニタし、かつ／またはその加工業者の生産性を監視するための情報に基づく経営意思決定を行うことができる。
【００４９】
米国イリノイ州ウォーコンダ所在のＰｒｏｇｒｅｓｓｉｖｅ  Ｃｏｍｐｏｎｅｎｔｓ  Ｉｎｔｅｒｎａｔｉｏｎａｌ  Ｃｏｒｐｏｒａｔｉｏｎは、多年にわたって、ＣｏｕｎｔｅｒＶｉｅｗ（登録商標）という商標で通常の機械的カウンタを販売しており、このカウンタは、成形金型活動をモニタするために一般に使用されるカウンタとなっている。本発明のモニタ２０は、ある実施形態では、ＣｏｕｎｔｅｒＶｉｅｗ（登録商標）カウンタと互換性を有し、同じマシンポケットまたは隙間内に嵌合しうる材料および／または寸法を有する。しかしながら、本発明によるモニタ２０は、金型の動作パラメータに関するデータおよび情報を知り、次いで例えば、本発明のモニタ２０と同様の装置の売上高を推定し、または予想することによってデータを取得し、成形金型およびその動作に関するずっと多くの情報を知ることができる。
【００５０】
クラウド３５またはシステムの任意の他の適切な記憶装置および／もしくはインフラストラクチャは、本発明のモニタ２０から、例えば、１０秒ごとに、または任意の他の適切な周期で通信データを受け取ることができ、データを記憶し、または保持することができ、続いて、毎時または他の指定の期間ごとに、選択されたデータストリングのうちの２４個などのデータを送信し、発し、または送出することができる。
【００５１】
本発明によるある実施形態では、装置および／または場所、例えば、データが送信され、伝えられ、かつ／または送られる場所を、ＣＶｅＭｏｎｉｔｏｒ．ｃｏｍまたは任意の他の適切なアドレスもしくは場所と呼ぶことができる。本発明のある実施形態では、データベースレコードは金型情報を含み、このデータベースレコードは、ある一定の期間、例えば２４時間または任意の他の適切な期間の１つもしくは複数の金型活動を含むデータの送り先とすることができる。例えば、ユーザが特定の金型のためのデータベースに入力するときに、ユーザは、所望の、または求められている情報のカテゴリを含む、「ファイルドロワ」といった電子ファイルまたは任意の他の適切なファイルを選択することができる。
【００５２】
概念的には、任意の適切なデータストリング、例えば２４×１５フィールドのデータストリングなどを、指定のフォルダ、メモリおよび／または他の記憶装置内に置くことができる。その場合、ユーザが選択すると、データストリングまたは他の記憶された情報を、ＰＤＦ報告書といった目に見える報告書に、例えば数学的に、または任意の適切なアルゴリズムによって変換することができる。本発明のある実施形態では、データウェアハウスをアドレス指定することによってファイルを解凍し、またはファイルにアクセスすることができる。このユーザ起動による報告書作成を使用して全体のデータベースサイズを縮小するなど、操作することができる。
【００５３】
本発明のある実施形態では、ＯＥＭによってはデータセキュリティについて懸念する場合もあるため、構成可能性および／または操作は、特定のＯＥＭに対応するデータのすべてを、データ記憶および／または操作の別の適切な提供者ではなく、その特定のＯＥＭのサーバ上に記憶し、または別の方法でその特定のＯＥＭのサーバ上に置かせることを含むことができる。本発明によるある実施形態では、必要なセキュリティレベルに応じて、例えば、特定のＯＥＭが所有する任意の、かつ／またはすべてのデータを収容し、管理するようにＯＥＭを統合し、訓練するために、セキュリティをさらに高める、異なる、または別個のより高レベルのアクセス権を設けることができる。
【００５４】
本発明によるある実施形態では、モニタ２０が金型メーカによって購入され、または別の方法で取得されるときに、金型メーカの会社名といった金型メーカ識別子を追跡し、または追跡することができ、次いで、特定のモニタ２０のどの装置識別ＩＤが誰によって購入されたかなど、識別可能な記録または稼働中の記録を維持し、または維持することができる。本発明のモニタ２０または別の適切な装置がＯＥＭによって指定された場合、本発明のある実施形態では、ＯＥＭのＩＤコードはモニタ２０のカタログ番号の一部であり、または一部となりうる。そのような実施形態では、任意の指定のモニタ２０が一意の、または異なる装置ＩＤコードを含み、この装置ＩＤコードは特定の部品識別および／または特定の金型識別に固有のものとすることができ、よって、加工業者または金型メーカによって自社で使用するために購入されるモニタ２０と比べて異なる報告およびバックアップを提供し、作成させることができる。本発明の別の実施形態によれば、モニタ２０が対応する特定のＯＥＭは、後で任意の適切な装置および／またはＣＶｅＭｏｎｉｔｏｒ．ｃｏｍといった場所に読み込むために、実行中の記録内に維持され、または維持することができる。
【００５５】
本発明のある実施形態では、加工業者が、報告書生成工程などの間に、モニタ２０または別の適切な機器もしくは装置にアクセスし、またはモニタ２０または別の適切な機器もしくは装置をソフトウェアパッケージに接続するときに、報告書は、伝えられ、送信され、かつ／または別の方法で送られ、例えば、提供者などの電子メールアドレスに電子メールで送出され、または電子的に送られる。電子メールまたは他のデータ送信は、金型実績データのバックアップとして機能することができ、また、提供者もしくは別の適切な当事者に、対応するＯＥＭに対し、モニタ２０および／または金型の任意の他の部品と関連付けられる例外的実績を修正するための助言といった顧客サービスを提案させることもできる。
【００５６】
類似した従来の追跡システムは、ＯＥＭがＦＴＰサイトを介してデータおよび／または情報にアクセスすることができ、または実績変動に関して警告を受けることができる手動システムを含む。
【００５７】
本発明によるある実施形態では、自動化システムが、特定のＯＥＭといった許可されたユーザに記憶情報の任意の部分または全部に対するアクセス権を与えるように構成される。ある実施形態では、例えばＯＥＭごとに、金型室責任者および金型室管理担当者に、ＯＥＭの好むアクセス構成を決定するために、管理権限を提供し、または付与することができ、管理権限は異なった、かつ／または様々なものとすることができる。例えば、あるＯＥＭが、同社の金型加工技師らに技師相互の報告書への完全な、または全面的なアクセス権を提供するが、金型メーカおよび／または加工業者といったＯＥＭの社外の誰ともアクセス権を共有しない場合もある。例えば、別のＯＥＭが、同社の金型加工技師に、その特定のＯＥＭの金型加工活動状態だけにアクセスさせ、他の金型加工プログラムにはアクセスさせたくない場合もあるはずである。例えば、アクセス権が、金型メーカまたは金型製作会社に、金型保守といった情報の一部分またはあるものだけに対しては提供されるが、金型サイクル時間といった他の情報に対しては提供されない場合もある。本発明によるある実施形態では、特定のＯＥＭが、モニタ２０が対応する特定の金型上で利用可能な完全な、または全量の情報を有する加工業者に対して完全なアクセス権を与え、または提供しうる。
【００５８】
無数の選択設定についてのアクセス権を構成することに加えて、警告についてユーザが同様に構成し、または決定することも可能である。例えば、あるＯＥＭは、例えば、特定の決まった時期に特定の金型上で十分な保守が行われていないときに、電子メールまたは別の類似の通信によって警告を受けてよく、警告は、加工業者と、金型加工プログラム責任者にコピーされてもよく、されなくてもよい。本発明の別の実施形態では、別のＯＥＭは、その特定のＯＥＭに対する月次概要報告書が生成され、金型メーカおよび加工業者と、ＯＥＭの金型加工プログラム責任者とに警告が送られるよう要求してよい。
【００５９】
本発明のある実施形態はＯＥＭ主導の販売に関するものであるが、別の実施形態では、情報への優先権を有する最初の連絡先がＯＥＭでない場合もある。例えば、場合によっては、金型製作者または金型メーカが実施についての意思決定者であり、自社の加工業者に、所定の周期で保守を行い、提供者のソフトウェアまたは他の類似の資料と同期をとるよう要求してもよい。例えば、米国内の金型メーカは、メキシコに２台の金型を出荷し、金型保証の一部として、保守およびモニタ２０同期を要求し、また、報告書を受け取り、ＣＶｅＭｏｎｉｔｏｒ．ｃｏｍ内または別の適切な装置および／もしくはソフトウェアの記録の管理者であることもできる。本発明による別の実施形態では、例えば、担当ＯＥＭが情報への優先権を持つ場合などには、製造者と連絡を取るための別のシナリオがある。
【００６０】
以上では、ＯＥＭ／加工業者／金型メーカのシナリオを説明したが、場合によっては、加工業者が、ＯＥＭからの要件なしで、このシステムの使用を指定してもよい。さらに、加工業者は、金型製造機能も果たしてよい。このシナリオでは、ＯＥＭは情報を受け取らなくてよく、代わりに、加工業者／金型メーカの様々な担当者が、それらの加工業者／金型メーカに関連する様々な情報グループにアクセスすることができるはずである。
【００６１】
情報は以上では、金型からダッシュボードへ送られるものとして説明されている。しかしながら、情報は、もう一方の方向、すなわち、ダッシュボードから装置またはモニタに渡すこともできる。これは、新しい図面、セットアップシート、および保守指示がモニタに送られることを可能にするはずである。本発明のある実施形態では、図２に示すように、モニタ２０、送信機３２、基地局３０、クラウド３５、プロセッサ４０、および／またはウィンドウ５５の間の両方向矢印は、これらの要素および／または本発明の任意の他の要素のうちの任意の１つもしくは複数の間の通信を、例えば、データおよび／または他の情報が無線接続および／または有線接続によってやり取りされる双方向通信とすることができることを示している。
【００６２】
本発明のある実施形態では、報告増分単位、データアクセス権、および警告受信者を、ユーザの任意の特定の選択に合わせて構成することができ、または構成可能である。
【００６３】
本発明のある実施形態では、報告は、単に、金型の実績および活動状態に関する２ページのＰＤＦ文書といった紙の形の報告書とすることができる。例えば、都合のよい比較のための包括的なチャートを作成するために、多数の成形金型にまたがるデータを集約し、合計し、または収集する追加の報告書を作成することもできる。
【００６４】
本発明のある実施形態では、報告書を地理的に表示することができる。例えば、ある問合せを、「金型加工技師＝Ｂｏｂ  Ｓｍｉｔｈ、保守増分単位＝１０％以上の変動、および／またはサイクル時間＝１０％の変動」とすることができ、この問合せは次いで、任意の適切な地図または他の類似の文書上に対応する記号を表示することができるはずであり、地図は、例えば、個人または保守担当者がプラントまたは他のサイトを訪問するために実際の出張が必要とされるときに、アクセスに役立つ情報を提供することができる。
【００６５】
本発明によるソフトウェアパッケージのある実施形態では、活動ログへの保守活動の基本的な記録が行われる。この保守機能または態様は、ＣＶｅＭｏｎｉｔｏｒ．ｃｏｍ内もしくは別の適切な装置もしくは場所から、または、例えば、現在、ＭｏｌｄＴｒａｘ．ｃｏｍを介して利用可能な別個の相互接続されたモジュールを介してさえも、拡張することができる。
【００６６】
本発明のある実施形態では、会社および／または提供者は、プロセス・モニタリング・システムを提供する会社と対話することができる。本発明のある実施形態では、プロセス・モニタリング・システムの工程を、例えば、モニタ２０と接続することができる。これは、電子通信および／または「ハンドシェーク」を備えない現在の手動システムに対して、またはその代わりに、プロセス・モニタリング・システムに対して、どのモールドがどの成形金型に、どの時間にあるか識別することができる。多くの従来のシステムには、金型および／または他の金型加工データの取り込みが欠如しているため、ＣＶｅＭｏｎｉｔｏｒｉｎｇ．ｃｏｍまたは本発明による別の適切な装置もしくはソフトウェアパッケージは、現在のシステムまたは既存のシステムと何らかのやり方で通信し、かつ／または「接続する」ことができるはずである。本発明のある実施形態では、ＯＥＭのサプライチェーンがＥＲＰシステムを用いて管理される場合、例えば、当該システムへの何らかの接続が有利となりうるはずである。
【００６７】
本発明によるある実施形態では、会社または他の提供者は、金型からリアルタイムで加工業者情報を収集することができ、よって、例えば、金型セットアップシートのためのみならず、ＣＶｅＭｏｎｉｔｏｒ．ｃｏｍまたは別の装置もしくはソフトウェアプログラム内にありうる金型セットアップシートが、モニタ２０内のフラッシュドライブや他の記憶装置といった記憶装置にも保存されることを可能にするためにも、モニタ２０内の「ファイルドロワ」または電子ファイルの役割を果たし、またはそのようなものとすることができるトランスデューサを販売することができる。また、会社または他の提供者が、ＣＶｅＭｏｎｉｔｏｒ．ｃｏｍまたは別の装置もしくはソフトウェアプログラム内のみならず、装置自体でも、その顧客のためのセットアップシートを遠隔で更新することが可能であってもよい。本発明のある実施形態では、比較的大きいユーザベースでは、初期の開発およびリリースの間にユーザと共に作業して、例えば、他の会社との同様の将来の提携のための前例を作ることが有益となりうる。
【００６８】
最初、特定の会社または提供者は、全データベースにわたるすべての情報を閲覧する権限を有することになるはずであることが想定される。しかしながら、本発明による別の実施形態では、ＯＥＭは、部品図面といったＯＥＭの業務のある機密の、または専有の側面へのアクセスを許可しない場合もある。この場合には、特定の会社または提供者は、それでもなお、金型情報内容のかなりの部分についてのアクセス、よって可視性を保持することができるはずである。
【００６９】
本発明によるある実施形態では、ある特定の当事者は、特定のＯＥＭの一般的活動に対してのみ権限のみを有しうるはずである。例えば、販売当事者が自動車ＯＥＭと契約を結んだ場合、その販売当事者は当該ＯＥＭが所有する任意の特定の部品の製品形状にアクセスできない場合もある。ある実施形態では、特定の販売当事者は、しかしながら、購入金型合計数およびどの国で購入されたかにアクセスすることができ、よってそれを知ることができるはずである。この特定の情報および／またはアクセス権は、所与のウェブサイト内ではなく、ＯＥＭの世界的な販売店および／または代理店のネットワークの注文調達においてＯＥＭの業務に役立つプログラム内に含まれていてよい。本発明のある実施形態では、例えば、金型が反復動作し続けており、ＯＥＭに、例えば金型および／または成形金型加工助言サービスといった特定の当事者からのサービスを要求させ、かつ／または受け取らせるための一般的な警告が伝えられる場合には、販売店に追加情報を提供することができる。
【００７０】
本発明のある実施形態では、異なるユーザレベルが設けられていてよく、例えばその場合、比較的小規模な会社は本発明のシステムに無料でアクセスし、本発明のシステムを基本的必要のために利用することができる。しかしながら、あるＯＥＭ設備は、進行中の契約管理、訓練などについてのサービス契約を必要としうる。
【００７１】
本発明のある実施形態では、ユーザベースを大きくすることができるはずであるために、定期的な連絡、例えば電子ニュースレターを発行することもできる。また、モニタ２０のメイン画面上などで、同業者間で最良慣行を共有するためのモニタされる「掲示板」を設置することもできる。本発明のある実施形態では、ウェブサイトは、コンピュータ上に常に表示され、または「立ち上がっている」はずのアプリケーションであるため、本発明のシステムは、例えば技術提携先によるウェビナの販促、予定されている展示会や会議、または広告を提供することができる。
【００７２】
本発明のある実施形態では、ウィンドウまたはダッシュボード内の広告が不要とされる場合には、例えば製造コミュニティの何らかの中心を形成するために特定の当事者を優先して、付随する更新を技術的ユーザベースに提供することができる。
【００７３】
以上の詳細な説明では、本発明をその特定の好ましい実施形態に関連して説明しており、例示のために多くの詳細が示されているが、本発明にはさらに別の実施形態が可能であり、本明細書に記載した詳細のあるものは、本発明の基本原理を逸脱することなく大きく変更されうることが当分野の技術者には明らかであろう。
【００７４】
２０１１年５月２５日に出願された米国特許出願第１３／１１５，１９７号明細書、２０１０年６月１８日に出願された米国特許出願第１２／８１８，６８４号明細書、２００９年６月１８日に出願された米国仮特許出願第６１／２６８，９５７号明細書、および２０１１年１０月１０日に出願された米国仮特許出願第６１／５４５，３９４号明細書の各々の全教示は、参照により本明細書に組み入れられるものである。
【図１】
2014528861.tif 000003
【図２】
2014528861.tif 000004
【図３−１】
2014528861.tif 000005
【図３−２】
2014528861.tif 000006
【図４】
2014528861.tif 000007
【図５】
2014528861.tif 000008
【図６】
2014528861.tif 000009
【図７】
2014528861.tif 000010
【図８】
2014528861.tif 000011
【図９】
2014528861.tif 000012
【図１０−１】
2014528861.tif 000013
【図１０−２】
2014528861.tif 000014
【図１１】
2014528861.tif 000015
【図１２】
2014528861.tif 000016
【図１３】
2014528861.tif 000017
【図１４】
2014528861.tif 000018
【国際調査報告】
2014528861.tif 000019
2014528861.tif 000020